(57)【要約】【課題】  ユーザへの装着が容易な脈波伝播時間測定装置を提供する。【解決手段】  一態様に係る脈波伝播時間測定装置は、ユーザの被測定部位に巻き付けられるベルト部と、前記ベルト部に設けられた複数の電極を含み、前記複数の電極を用いて前記ユーザの心電図を取得する心電図取得部と、前記ベルト部に設けられた脈波センサを含み、前記脈波センサを用いて前記ユーザの脈波を表す脈波信号を取得する脈波信号取得部と、前記心電図の波形特徴点と前記脈波信号の波形特徴点との間の時間差に基づいて脈波伝播時間を算出する脈波伝播時間算出部と、を備える。【選択図】図１
2019154864.tif 000002
【特許請求の範囲】
【請求項１】
ユーザの被測定部位に巻き付けられるベルト部と、
前記ベルト部に設けられた複数の電極を含み、前記複数の電極を用いて前記ユーザの心電図を取得する心電図取得部と、
前記ベルト部に設けられた脈波センサを含み、前記脈波センサを用いて前記ユーザの脈波を表す脈波信号を取得する脈波信号取得部と、
前記心電図の波形特徴点と前記脈波信号の波形特徴点との間の時間差に基づいて脈波伝播時間を算出する脈波伝播時間算出部と、
を備える脈波伝播時間測定装置。
【請求項２】
前記脈波センサは、前記ベルト部のうち、前記ベルト部が前記ユーザの前記被測定部位に巻き付けられた状態で末梢側に位置する部分に配置されている、請求項１に記載の脈波伝播時間測定装置。
【請求項３】
前記複数の電極は、前記ベルト部のうち、前記ベルト部が前記ユーザの前記被測定部位に巻き付けられた状態で中枢側に位置する部分に配置されている、請求項１又は２に記載の脈波伝播時間測定装置。
【請求項４】
前記複数の電極は、少なくとも４つの電極であり、
前記心電図取得部は、前記複数の電極のうちの２つの第１の電極間の第１の電位差を取得し、前記複数の電極のうち、前記２つの第１の電極とは異なる２つの第２の電極間の第２の電位差を取得し、前記第１の電位差と前記第２の電位差との差を第３の電位差として取得し、前記第３の電位差に基づいて前記心電図を生成する、請求項１乃至３のいずれか１項に記載の脈波伝播時間測定装置。
【請求項５】
前記脈波伝播時間に基づいて、前記ユーザの血圧を測定することが推奨される条件が満たされたか否かを判定する判定部と、
前記条件が満たされたと前記判定部が判定したことに応答して、血圧測定の実行を指示する情報を出力する指示部と、
をさらに備える、請求項１乃至４のいずれか１項に記載の脈波伝播時間測定装置。
【請求項６】
前記被測定部位は上腕である、請求項１乃至５のいずれか１項に記載の脈波伝播時間測定装置。
【請求項７】
請求項１乃至６のいずれか１項に記載の脈波伝播時間測定装置と、
前記算出された脈波伝播時間に基づいて、血圧値を算出する血圧値算出部と、
を備える血圧測定装置。
【請求項８】
請求項１乃至６のいずれか１項に記載の脈波伝播時間測定装置と、
前記算出された脈波伝播時間と血圧算出式とに基づいて、第１の血圧値を算出する第１の血圧値算出部と、
前記ベルト部に設けられた押圧カフと、
前記押圧カフに流体を供給する流体供給部と、
前記押圧カフ内の圧力を検出する圧力センサと、
前記圧力センサの出力信号に基づいて第２の血圧値を算出する第２の血圧値算出部と、
前記脈波伝播時間測定装置により得られた脈波伝播時間と前記第２の血圧値算出部により算出された第２の血圧値とに基づいて、前記血圧算出式の較正を行う較正部と、
を備える血圧測定装置。
【発明の詳細な説明】
【技術分野】
【０００１】
本発明は、脈波伝播時間を非侵襲的に測定する脈波伝播時間測定装置、及び脈波伝播時間測定装置を用いた血圧測定装置に関する。
【背景技術】
【０００２】
脈波が動脈上の２点間を伝播するのに要する時間である脈波伝播時間（ＰＴＴ：Pulse Transit Time）と血圧との間に相関関係があることが知られている。
【０００３】
特許文献１には、上記の相関関係を利用して血圧を測定する血圧測定装置が開示されている。この血圧測定装置は、ＥＣＧ（ElectroCardioGraphic）センサの出力とＰＰＧ（PhotoPlethysmoGraphic）センサの出力とに基づいて脈波伝播時間を算出し、算出した脈波伝播時間と上記の相関関係を表す関係式とを用いて血圧値を算出する。ＥＣＧセンサはユーザの胴体に装着され、ＰＰＧセンサはユーザの耳に装着される。
【先行技術文献】
【特許文献】
【０００４】
【特許文献１】特許第５９８４０８８号公報
【発明の概要】
【発明が解決しようとする課題】
【０００５】
特許文献１に開示された血圧測定装置においては、２つのデバイスをユーザに装着する必要があり、ユーザにとって装着が面倒である。
【０００６】
本発明は、上記の事情に着目してなされたものであり、その目的は、ユーザへの装着が容易な脈波伝播時間測定装置及び血圧測定装置を提供することである。
【課題を解決するための手段】
【０００７】
本発明は、上記課題を解決するために、以下の態様を採用する。
【０００８】
一態様に係る脈波伝播時間測定装置は、ユーザの被測定部位に巻き付けられるベルト部と、前記ベルト部に設けられた複数の電極を含み、前記複数の電極を用いて前記ユーザの心電図を取得する心電図取得部と、前記ベルト部に設けられた脈波センサを含み、前記脈波センサを用いて前記ユーザの脈波を表す脈波信号を取得する脈波信号取得部と、前記心電図の波形特徴点と前記脈波信号の波形特徴点との間の時間差に基づいて脈波伝播時間を算出する脈波伝播時間算出部と、を備える。
【０００９】
上記の構成では、電極及び脈波センサがともにベルト部に設けられている。これにより、ベルト部をユーザに巻き付けることで電極及び脈波センサをユーザに取り付けることができる。このため、ユーザへの装着が容易である。さらに、心電図の波形特徴点と被測定部位に関する脈波信号の波形特徴点との時間差に基づいて脈波伝播時間が算出される。この場合、脈波伝播時間は、脈波が心臓から被測定部位までの長い距離を伝播するのに要した時間に相当し、被測定部位中の２点間での脈波伝播時間を測定する場合と比較して大きい値になる。言い換えると、長い脈波伝播距離が確保される。このため、心電図の波形特徴点と脈波信号の波形特徴点との間の時間差を算出する際に生じる誤差の脈波伝播時間への影響が小さくなり、脈波伝播時間を正確に測定することができる。
【００１０】
一態様では、前記脈波センサは、前記ベルト部のうち、前記ベルト部が前記ユーザの前記被測定部位に巻き付けられた状態で末梢側に位置する部分に配置されてもよい。当該構成では、より長い脈波伝播距離が確保され、脈波伝播時間をより正確に測定することができる。
【００１１】
一態様では、前記複数の電極は、前記ベルト部のうち、前記ベルト部が前記ユーザの前記被測定部位に巻き付けられた状態で中枢側に位置する部分に配置されてもよい。当該構成では、より高い信号対雑音比（ＳＮ比）で心臓の電気的活動を表す信号を取得することができ、心電図において波形特徴点の時間をより正確に検出することができるようになる。その結果、脈波伝播時間をより正確に測定することができる。
【００１２】
一態様では、前記複数の電極は、少なくとも４つの電極であってもよく、前記心電図取得部は、前記複数の電極のうちの２つの第１の電極間の第１の電位差を取得し、前記複数の電極のうち、前記２つの第１の電極とは異なる２つの第２の電極間の第２の電位差を取得し、前記第１の電位差と前記第２の電位差との差を第３の電位差として取得し、前記第３の電位差に基づいて前記心電図を生成してもよい。
【００１３】
上記の構成では、第１の電位差には、ユーザの体動に起因して生じる体動ノイズが載ることがある。第２の電位差にも同程度の体動ノイズが載るため、前記第１の電位差と前記第２の電位差との差を算出することで体動ノイズを除去又は低減することが可能である。体動ノイズが除去又は低減された心電図を取得することができ、心電図において波形特徴点の時間をより正確に検出することができるようになる。その結果、脈波伝播時間をより正確に測定することができる。
【００１４】
一態様では、上記脈波伝播時間測定装置は、前記算出された脈波伝播時間に基づいて、前記ユーザの血圧を測定することが推奨される条件が満たされたか否かを判定する判定部と、前記条件が満たされたと前記判定部が判定したことに応答して、血圧測定の実行を指示する情報を出力する指示部と、をさらに備えてもよい。
【００１５】
上記の構成では、条件が満たされる場合に、例えば、血圧測定の実行を促すメッセージがユーザに提示される。このため、血圧が急上昇したときなどの血圧測定が推奨される状況下で血圧測定が実行されるようになる。
【００１６】
一態様では、前記被測定部位は上腕であってよい。当該構成では、脈波伝播時間測定装置を服の下に装着することが可能であり、脈波伝播時間測定装置を装着していることを目立たなくすることができる。
【００１７】
一態様に係る血圧測定装置は、上記の脈波伝播時間測定装置と、前記算出された脈波伝播時間に基づいて、血圧値を算出する血圧値算出部と、を備える。
【００１８】
上記の構成によれば、脈波伝播時間に基づく血圧測定（一心拍ごとの血圧値を得る連続血圧測定）を１つのデバイスで行うことができる。
【００１９】
一態様に係る血圧測定装置は、上記の脈波伝播時間測定装置と、前記算出された脈波伝播時間と血圧算出式とに基づいて、第１の血圧値を算出する第１の血圧値算出部と、前記ベルト部に設けられた押圧カフと、前記押圧カフに流体を供給する流体供給部と、前記押圧カフ内の圧力を検出する圧力センサと、前記圧力センサの出力信号に基づいて第２の血圧値を算出する第２の血圧値算出部と、前記脈波伝播時間測定装置により得られた脈波伝播時間と前記第２の血圧値算出部により算出された第２の血圧値とに基づいて、前記血圧算出式の較正を行う較正部と、を備える。
【００２０】
上記の構成では、脈波伝播時間に基づく血圧測定、より正確な測定が可能なカフ式の血圧測定、及び血圧算出式の較正を１つのデバイスで行うことができる。
【発明の効果】
【００２１】
本発明によれば、ユーザへの装着が容易な脈波伝播時間測定装置及び血圧測定装置を提供することができる。
【図面の簡単な説明】
【００２２】
【図１】一実施形態に係る血圧測定装置を例示する図。
【図２】図１に示した血圧測定装置の外観を例示する図。
【図３】図１に示した血圧測定装置の外観を例示する図。
【図４】図１に示した血圧測定装置の断面を例示する図。
【図５】図１に示した血圧測定装置の制御系のハードウェア構成を例示するブロック図。
【図６】図１に示した血圧測定装置のソフトウェア構成を例示するブロック図。
【図７】図６に示した脈波伝播時間算出部が脈波伝播時間を算出する方法を説明する図。
【図８】図１に示した血圧測定装置が脈波伝播時間に基づく血圧測定を行う動作を例示するフローチャート。
【図９】図１に示した血圧測定装置がオシロメトリック法による血圧測定の実行を指示する動作を例示するフローチャート。
【図１０】図１に示した血圧測定装置がオシロメトリック法による血圧測定を行う動作を例示するフローチャート。
【図１１】オシロメトリック法による血圧測定におけるカフ圧及び脈波信号の変化を示す図。
【図１２】一実施形態に係る心電図取得部のハードウェア構成を例示するブロック図。
【発明を実施するための形態】
【００２３】
以下、図面を参照しながら本発明の実施形態を説明する。
【００２４】
［適用例］
図１を参照して、本発明が適用される場面の一例について説明する。図１は、一実施形態に係る血圧測定装置１０を例示する。血圧測定装置１０は、ウェアラブルデバイスであり、ユーザの被測定部位としての上腕に装着される。血圧測定装置１０は、ベルト部２０、第１の血圧測定部３０、第２の血圧測定部４０、判定部５０、及び指示部６０を備える。
【００２５】
ベルト部２０は、ベルト２１及び本体２２を備える。ベルト２１は、上腕を取り巻いて装着される帯状の部材を指し、バンド又はカフなどの別の名称で呼ばれることもある。ベルト２１は、内周面及び外周面を有する。内周面は、ユーザが血圧測定装置１０を装着した状態（以下では、単に「装着状態」と称する）でユーザの上腕に接する表面であり、外周面は、内周面の反対側の表面である。
【００２６】
本体２２は、ベルト２１に取り付けられている。本体２２は、操作部２２１及び表示部２２２とともに、後述する制御部５０１（図５に示される）などの構成要素を収容する。操作部２２１は、ユーザが血圧測定装置１０に対する指示を入力することを可能にする入力装置である。図１の例では、操作部２２１は複数のプッシュ式ボタンを含む。表示部２２２は、血圧測定の実行を促すメッセージや血圧測定結果などの情報を表示する表示装置である。表示装置としては、例えば、液晶表示装置（ＬＣＤ）又はＯＬＥＤ（Organic Light Emitting Diode）ディスプレイを使用することができる。表示装置及び入力装置を兼ねたタッチスクリーンが使用されてもよい。本体２２には、スピーカ又は圧電サウンダなどの発音体が設けられていてもよい。本体２２には、ユーザが音声で指示を入力することができるように、マイクロフォンが設けられていてもよい。
【００２７】
第１の血圧測定部３０は、ユーザの脈波伝播時間を非侵襲的に測定し、測定した脈波伝播時間に基づいて血圧値を算出する。第１の血圧測定部３０は、一心拍ごとの血圧値を得る連続血圧測定を行うことができる。第２の血圧測定部４０は、第１の血圧測定部３０とは異なる方式で血圧測定を行う。第２の血圧測定部４０は、例えばオシロメトリック法又はコロトコフ法に基づいており、特定のタイミングで、例えばユーザによる操作に応答して、血圧測定を行う。第２の血圧測定部４０は、連続血圧測定を行うことはできないが、第１の血圧測定部３０よりも正確に血圧を測定することができる。
【００２８】
第１の血圧測定部３０は、心電図取得部３１、脈波信号取得部３２、脈波伝播時間算出部３３、及び血圧値算出部３４を備える。
【００２９】
心電図取得部３１は、複数の電極を備え、これらの電極を用いてユーザの心電図（ＥＣＧ：ElectroCardioGram）を取得する。心電図は、心臓の電気的活動を表す。電極はベルト部２０に設けられている。例えば、電極はベルト２１の内周面に配置されており、それにより、装着状態で電極がユーザの上腕の皮膚に接するようになっている。
【００３０】
脈波信号取得部３２は、脈波センサを備え、脈波センサを用いてユーザの脈波を表す脈波信号を取得する。脈波センサはベルト部２０に設けられている。例えば、脈波センサはベルト２１の内周面に配置されており、それにより、装着状態で脈波センサがユーザの上腕の皮膚に接するようになっている。なお、後述する電波法に基づく脈波センサなどのいくつかのタイプの脈波センサでは、装着状態でユーザの上腕の皮膚に接する必要はない。
【００３１】
脈波伝播時間算出部３３は、心電図取得部３１により取得された心電図の波形特徴点と脈波信号取得部３２により取得された脈波信号の波形特徴点との間の時間差に基づいて脈波伝播時間を算出する。例えば、脈波伝播時間算出部３３は、心電図の波形特徴点と脈波信号の波形特徴点との間の時間差を算出し、算出した時間差を脈波伝播時間として出力する。本実施形態では、脈波伝播時間は、心臓から上腕（具体的には脈波センサが配置される位置）まで脈波が動脈を伝播するのに要した時間に相当する。
【００３２】
血圧値算出部３４は、脈波伝播時間算出部３３により算出された脈波伝播時間と血圧算出式とに基づいて血圧値を算出する。血圧算出式は、脈波伝播時間と血圧との間の相関関係を表す関係式である。血圧算出式の一例を下記に示す。  
ＳＢＰ＝Ａ１／ＰＴＴ２＋Ａ２    ・・・（１）
ここで、ＳＢＰは収縮期血圧を表し、ＰＴＴは脈波伝播時間を表し、Ａ１、Ａ２はパラメータである。上記の相関関係は、個人ごとに異なる。このため、ユーザに関して血圧算出式の較正を行う必要がある。血圧算出式の較正（具体的には、パラメータＡ１、Ａ２の決定）は、第２の血圧測定部４０により得られた血圧値に基づいて行われる。血圧算出式の較正については後述する。
【００３３】
脈波伝播時間算出部３３は一心拍ごとの脈波伝播時間を算出することができ、したがって、血圧値算出部３４は一心拍ごとの血圧値を算出することができる。
【００３４】
判定部５０は、第１の血圧測定部３０により連続的に得られる血圧値をモニタし、ユーザの血圧を測定することが推奨される条件が満たされたか否かを判定する。例えば、急激な血圧上昇が発生したときに、第２の血圧測定部４０による正確な血圧測定の実行が望まれる。このため、条件は、例えば、急激な血圧上昇が発生したことを検出するために規定される。
【００３５】
指示部６０は、条件が満たされたと判定部５０が判定したことに応答して、第２の血圧測定部４０による血圧測定の実行を指示する情報を出力する。例えば、指示部６０は、発音体を通じて通知音（例えばメロディ）を出力するとともに、「血圧測定を実行してください」というメッセージを表示部２２２に表示させる。ユーザが指示部６０からの指示に応答して所定のボタンを押すと、第２の血圧測定部４０による血圧測定が実行される。第２の血圧測定部４０による血圧測定については後述する。
【００３６】
以上のように、血圧測定装置１０では、心電図を取得するために使用される複数の電極及び脈波信号を取得するために使用される脈波センサがともにベルト部２０に設けられている。これにより、単にベルト部２０を上腕に巻き付けることで、電極及び脈波センサをユーザに取り付けることが可能になる。このため、ユーザへの装着が容易であり、血圧測定装置１０の装着に対するユーザの拒否感を低減することができる。
【００３７】
さらに、心電図の波形特徴点と上腕に関する脈波信号の波形特徴点との間の時間差が脈波伝播時間として算出される。血圧測定装置１０で得られる脈波伝播時間は、上腕中の２点間に関して脈波伝播時間を測定する場合と比較して大きい値になる。言い換えると、より長い脈波伝播距離が確保される。このため、心電図の波形特徴点と脈波信号の波形特徴点との間の時間差を算出する際に生じた誤差の脈波伝播時間への影響が小さくなり、脈波伝播時間を正確に測定することができる。その結果、脈波伝播時間に基づく血圧測定により得られる血圧値の信頼性が向上する。
【００３８】
以下に、血圧測定装置１０をより具体的に説明する。  
［構成例］
（ハードウェア構成）
図２から図６を参照して、本実施形態に係る血圧測定装置１０のハードウェア構成の一例を説明する。  
図２及び図３は、血圧測定装置１０の外観を例示する平面図である。具体的には、図２は、ベルト２１を展開した状態でベルト２１の外周面２１１側から見た血圧測定装置１０を示し、図３は、ベルト２１を展開した状態でベルト２１の内周面２１２側から見た血圧測定装置１０を示している。図４は、装着状態での血圧測定装置１０の断面を示している。
【００３９】
ベルト２１は、ベルト２１を上腕に着脱可能にする装着部材を備える。図２及び図３に示される例では、装着部材は、多数のループを有するループ面２１３と複数のフックを有するフック面２１４とを有する面ファスナである。ループ面２１３は、ベルト２１の外周面２１１上であってベルト２１の長手方向の端部２１５Ａに配置されている。長手方向は、装着状態で上腕の周方向に対応する。フック面２１４は、ベルト２１の内周面２１２上であってベルト２１の長手方向の端部２１５Ｂに配置されている。端部２１５Ｂは、ベルト２１の長手方向において端部２１５Ａと対向する。ループ面２１３及びフック面２１４を互いに押し付けると、ループ面２１３及びフック面２１４が結合する。また、ループ面２１３及びフック面２１４を互いに離れるように引っ張ることで、ループ面２１３及びフック面２１４が分離する。
【００４０】
図３に示されるように、ベルト２１の内周面２１２には、心電図を測定するための電極群３１１が配置されている。図３の例では、電極群３１１は、ベルト２１の長手方向に一定間隔で整列した６つの電極３１２を有する。電極３１２間の間隔は、例えば、想定する最も腕の細いユーザの上腕周長の四分の一に設定される。この配置では、図４に示されるように、想定する最も腕の細いユーザについて、装着状態で６つの電極３１２のうちの４つが上腕７０に接し、上腕の周上において等間隔に位置し、残り２つの電極３１２はベルト１１１の外周面に接する。図４において、上腕骨７１及び上腕動脈７２が示されている。想定する最も腕の太いユーザについては、装着状態で６つすべての電極３１２が上腕７０に接する。
【００４１】
なお、電極３１２の数は、６つに限らず、２〜５又は７以上であってよい。２つ又は３つの電極３１２が上腕に接する場合には、装着状態によっては心電図をうまく測定できないことがある。心電図をうまく測定できない場合には、表示部２２２にメッセージを表示するなどして、ユーザに血圧測定装置１０を装着し直してもらう必要がある。心電図を測定できない事態を回避するために、装着状態で少なくとも４つの電極３１２が上腕に接することが望まれる。
【００４２】
装着状態で電極３１２が心臓の近くに位置するほど、電極３１２を用いて得られる、心臓の電気的活動を表す信号が大きくなり、すなわち、信号対雑音比（ＳＮ比）が高くなる。好ましくは、図３に示されるように、電極３１２はベルト２１の中枢側部分２１７Ａに配置される。中枢側部分２１７Ａは、装着状態で中心線２１６よりも中枢側（肩側）に位置する部分である。より好ましくは、電極３１２はベルト２１の中枢側端部２１８Ａに配置される。中枢側端部２１８Ａは、装着状態で中枢側に位置する端部であり、中枢側端部２１８Ａの幅は、例えば、ベルト２１の全幅の３分の１である。
【００４３】
ベルト２１の内周面２１２には、脈波を測定するための脈波センサ３２１のセンサ部３２２がさらに配置されている。図３の例では、センサ部３２２は、上腕に通電するための１対の電極３２３Ａ、３２３Ｄと、電圧を検出するための１対の電極３２３Ｂ、３２３Ｃと、を含む。電極３２３Ａ、３２３Ｂ、３２３Ｃ、３２３Ｄは、この順番にベルト１１１の幅方向に配列されている。ベルト１１１の幅方向は、装着状態で上腕動脈７２に沿う方向である。
【００４４】
また、装着状態でセンサ部３２２が心臓から遠くに位置するほど、脈波伝播距離が長くなり、脈波伝播時間の測定値が大きくなる。このため、心電図の波形特徴点と脈波信号の波形特徴点との間の時間差を算出する際に生じた誤差が脈波伝播時間に対して相対的に小さくなり、脈波伝播時間を正確に測定できるようになる。好ましくは、センサ部３２２はベルト２１の末梢側部分２１７Ｂに配置される。末梢側部分２１７Ｂは、装着状態で中心線２１６よりも末梢側（肘側）に位置する部分である。より好ましくは、センサ部３２２はベルト２１の末梢側端部２１８Ｃに配置される。末梢側端部２１８Ｃは、装着状態で末梢側に位置する端部であり、末梢側端部２１８Ｃの幅は、例えば、ベルト２１の全幅の３分の１である。中枢側端部２１８Ａと末梢側端部２１８Ｃとの間の部分２１８Ｂは中間部と称する。
【００４５】
図４に示されるように、ベルト２１は、内布２１０Ａ、外布２１０Ｂ、及び内布２１０Ａと外布２１０Ｂとの間に設けられた押圧カフ４０１を含む。押圧カフ４０１は、上腕を取り囲むことができるように、ベルト２１の長手方向に長い帯状体である。例えば、押圧カフ４０１は、伸縮可能な２枚のポリウレタンシートを厚さ方向に対向させ、それらの周縁部を溶着して、流体袋として構成されている。電極群３１１及びセンサ部３２２は、装着状態で押圧カフ４０１と上腕７０との間に位置するように内布２１０Ａに設けられている。
【００４６】
図５は、本実施形態に係る血圧測定装置１０の制御系のハードウェア構成の一例を例示する。図５の例では、本体２２には、上述した操作部２２１及び表示部２２２に加えて、制御部５０１、記憶部５０５、電池５０６、スイッチ回路３１３、減算回路３１４、アナログフロントエンド（ＡＦＥ）３１５、圧力センサ４０２、ポンプ４０３、弁４０４、発振回路４０５、及びポンプ駆動回路４０６が搭載されている。脈波センサ３２１は、上述したセンサ部３２２に加えて、通電及び電圧検出回路３２４を備える。この例では、通電及び電圧検出回路３２４は、ベルト２１に搭載されている。
【００４７】
制御部５０１は、ＣＰＵ（Central Processing Unit）５０２、ＲＡＭ（Random Access Memory）５０３、ＲＯＭ（Read Only Memory）５０４などを含み、情報処理に応じて各構成要素の制御を行う。記憶部５０５は、例えば、ハードディスクドライブ（ＨＤＤ）、半導体メモリ（例えばフラッシュメモリ）などの補助記憶装置であり、制御部５０１で実行されるプログラム（例えば脈波伝播時間測定プログラム及び血圧測定プログラムを含む）、プログラムを実行するために必要な設定データ、血圧測定結果などを不揮発的に記憶する。記憶部５０５が備える記憶媒体は、コンピュータその他装置、機械等が記録されたプログラムなどの情報を読み取り可能なように、当該プログラムなどの情報を、電気的、磁気的、光学的、機械的又は化学的作用によって蓄積する媒体である。なお、プログラムの一部又は全部は、ＲＯＭ５０４に記憶されていてもよい。
【００４８】
電池５０６は、制御部５０１などの構成要素に電力を供給する。電池５０６は、例えば、充電可能なバッテリである。
【００４９】
電極群３１１に含まれる電極３１２はそれぞれ、スイッチ回路３１３の入力端子に接続されている。スイッチ回路３１３の２つの出力端子はそれぞれ、減算回路３１４の２つの入力端子に接続されている。スイッチ回路３１３は、制御部５０１からスイッチ信号を受け取り、スイッチ信号により指定される２つの電極３１２を減算回路３１４に接続する。減算回路３１４は、一方の入力端子から入力された電位から他方の入力端子から入力された電位を減算する。減算回路３１４は、接続された２つの電極３１２間の電位差を表す電位差信号をＡＦＥ１３５へ出力する。減算回路３１４は、例えば計装アンプである。ＡＦＥ１３５は、例えば、ローパスフィルタ（ＬＰＦ）、増幅器、及びアナログデジタル変換器を含む。電位差信号は、ＬＰＦで濾波され、増幅器で増幅され、アナログデジタル変換器でデジタル信号に変換される。デジタル信号に変換された電位差信号は、制御部５０１へ与えられる。制御部５０１は、ＡＦＥ３１５から時系列で出力される電位差信号を心電図として取得する。
【００５０】
通電及び電圧検出回路３２４は、電極３２３Ａ、３２３Ｄ間に高周波定電流を流す。例えば、電流の周波数は５０ｋＨｚであり、電流値は１ｍＡである。通電及び電圧検出回路３２４は、電極３２３Ａ、３２３Ｄ間に通電した状態で、電極３２３Ｂ、３２３Ｃ間の電圧を検出し、検出信号を生成する。検出信号は、電極３２３Ｂ、３２３Ｃが対向する動脈の部分を伝播する脈波による電気インピーダンスの変化を表す。通電及び電圧検出回路３２４は、検出信号に対して整流、増幅、濾波及びアナログデジタル変換を含む信号処理を施し、検出信号を制御部５０１に与える。制御部５０１は、通電及び電圧検出回路３２４から時系列で出力される検出信号を脈波信号として取得する。
【００５１】
圧力センサ４０２は配管４０７を介して押圧カフ４０１に接続され、ポンプ４０３及び弁４０４は配管４０８を介して押圧カフ４０１に接続されている。配管４０７、４０８は共通の１つの配管であってもよい。ポンプ４０３は、例えば圧電ポンプであり、押圧カフ４０１内の圧力を高めるために、配管４０８を通して押圧カフ４０１に流体としての空気を供給する。弁４０４は、ポンプ４０３に搭載され、ポンプ４０３の動作状態（オン／オフ）に伴って開閉が制御される構成となっている。具体的には、ポンプ４０３がオンされると弁４０４は閉状態となり、ポンプ４０３がオフされると弁４０４は開状態となる。弁４０４が開状態であるときには、押圧カフ４０１は大気と連通し、押圧カフ４０１内の空気が大気中へ排出される。なお、弁４０４は、逆止弁の機能を有し、空気が逆流することがない。ポンプ駆動回路４０６は、制御部５０１から受け取る制御信号に基づいてポンプ４０３を駆動する。
【００５２】
圧力センサ４０２は、押圧カフ４０１内の圧力（カフ圧とも称する）を検出し、カフ圧を表す電気信号を生成する。カフ圧は、例えば、大気圧を基準とした圧力である。圧力センサ４０２は、例えばピエゾ抵抗式圧力センサである。発振回路４０５は、圧力センサ４０２からの電気信号に基づいて発振して、電気信号に応じた周波数を有する周波数信号を制御部５０１に出力する。この例では、圧力センサ４０２の出力は、押圧カフ４０１の圧力を制御するために、及び、オシロメトリック法によって血圧値（収縮期血圧及び拡張期血圧を含む）を算出するために用いられる。
【００５３】
押圧カフ４０１は、電極３１２又は脈波センサ３２１のセンサ部３２２と上腕との接触状態を調整するために使用されてもよい。例えば、脈波伝播時間に基づく血圧測定の実行時には、押圧カフ４０１はある程度の空気が収容された状態に保たれる。これにより、電極３１２及び脈波センサ３２１のセンサ部３２２が上腕に確実に接触するようになる。
【００５４】
図２から図５に示される例では、電極群３１１、スイッチ回路３１３、減算回路３１４、及びＡＦＥ３１５が図１に示した第１の血圧測定部３０の心電図取得部３１に相当し、脈波センサ３２１（電極３２３並びに通電及び電圧検出回路３２４）が第１の血圧測定部３０の脈波信号取得部３２に相当する。また、押圧カフ４０１、圧力センサ４０２、ポンプ４０３、弁４０４、発振回路４０５、ポンプ駆動回路４０６、及び配管４０７、４０８が第２の血圧測定部４０に相当する。
【００５５】
なお、血圧測定装置１０の具体的なハードウェア構成に関して、実施形態に応じて、適宜、構成要素の省略、置換及び追加が可能である。例えば、制御部５０１は、複数のプロセッサを含んでいてもよい。血圧測定装置１０は、ユーザの携帯端末（例えばスマートフォン）などの外部装置と通信するための通信部５０７を備えていてもよい。通信部５０７は、有線通信モジュール及び／又は無線通信モジュールを含む。無線通信方式として、例えば、Ｂｌｕｅｔｏｏｔｈ（登録商標）、ＢＬＥ（Bluetooth Low Energy）などを採用することができる。
【００５６】
（ソフトウェア構成）
図６を参照して、本実施形態に係る血圧測定装置１０のソフトウェア構成の一例を説明する。図６は、本実施形態に係る血圧測定装置１０のソフトウェア構成の一例を例示する。図６の例では、血圧測定装置１０は、心電図測定制御部６０１、心電図記憶部６０２、脈波測定制御部６０３、脈波信号記憶部６０４、脈波伝播時間算出部６０５、血圧値算出部６０６、血圧値記憶部６０７、判定部６０８、指示部６０９、血圧測定制御部６１０、血圧値記憶部６１１、表示制御部６１２、指示入力部６１３、及び較正部６１４を備える。心電図測定制御部６０１、脈波測定制御部６０３、脈波伝播時間算出部６０５、血圧値算出部６０６、判定部６０８、指示部６０９、血圧測定制御部６１０、表示制御部６１２、指示入力部６１３、及び較正部６１４は、血圧測定装置１０の制御部５０１が記憶部５０５に記憶されたプログラムを実行することによって下記の処理を実行する。制御部５０１がプログラムを実行する際は、制御部５０１は、プログラムをＲＡＭ５０３に展開する。そして、制御部５０１は、ＲＡＭ５０３に展開されたプログラムをＣＰＵ５０２により解釈及び実行して、各構成要素を制御する。心電図記憶部６０２、脈波信号記憶部６０４、血圧値記憶部６０７、及び血圧値記憶部６１１は、記憶部５０５により実現される。
【００５７】
心電図測定制御部６０１は、心電図を取得するためにスイッチ回路３１３を制御する。具体的には、心電図測定制御部６０１は、６つの電極３１２のうちの２つの電極３１２を選択するためのスイッチ信号を生成し、このスイッチ信号をスイッチ回路３１３に与える。心電図測定制御部６０１は、選択した２つの電極３１２を用いて得られた電位差信号を取得し、取得された電位差信号の時系列データを心電図として心電図記憶部６０２に記憶させる。
【００５８】
ユーザが血圧測定装置１０を上腕に装着した際には、心電図測定制御部６０１は、心電図を取得するのに最適な電極対を決定する。例えば、心電図測定制御部６０１は、全ての電極対それぞれについて心電図を取得し、Ｒ波の振幅が最も大きい心電図を提供する電極対を最適な電極対として決定する。その後は、心電図測定制御部６０１は、最適な電極対を用いて心電図を測定する。
【００５９】
脈波測定制御部６０３は、脈波信号を取得するために通電及び電圧検出回路３２４を制御する。具体的には、脈波測定制御部６０３は、電極３２３Ａ、Ｄ間に電流を流すよう通電及び電圧検出回路３２４に指示し、電極３２３Ａ、Ｄ間に電流を流した状態で検出された電極３２３Ｂ、３２３Ｃ間の電圧を示す検出信号を取得する。脈波測定制御部６０３は、検出信号の時系列データを脈波信号として脈波信号記憶部６０４に記憶させる。
【００６０】
脈波伝播時間算出部６０５は、心電図記憶部６０２から心電図を読み出し、脈波信号記憶部６０４から脈波信号を読み出し、心電図の波形特徴点と脈波信号の波形特徴点との間の時間差に基づいて脈波伝播時間を算出する。例えば、脈波伝播時間算出部６０５は、図７に示されるように、心電図からＲ波に対応するピーク点の時間（時刻）を検出し、脈波信号から立ち上がり点の時間（時刻）を検出し、立ち上がり点の時間からピーク点の時間を引いた差を脈波伝播時間として算出する。
【００６１】
なお、脈波伝播時間算出部６０５は、前駆出期（ＰＥＰ：PreEjection Period）に基づいて上記の時間差を補正し、補正後の時間差を脈波伝播時間として出力してもよい。例えば、前駆出期が一定であるとみなし、脈波伝播時間算出部６０５は、上記の時間差から所定値を引くことで脈波伝播時間を算出してもよい。
【００６２】
Ｒ波に対応するピーク点は、心電図の波形特徴点の一例である。心電図の波形特徴点は、Ｑ波に対応するピーク点であってもよく、Ｓ波に対応するピーク点であってもよい。Ｒ波はＱ波又はＳ波と比べてはっきりとしたピークとして現れるので、Ｒ波ピーク点の時間はより正確に特定することができる。このため、好ましくは、Ｒ波ピーク点が心電図の波形特徴点として使用される。また、立ち上がり点は、脈波信号の波形特徴点の一例である。脈波信号の波形特徴点は、ピーク点であってもよい。脈波信号は緩やかに時間変化するため、脈波信号において波形特徴点の時間を特定する際に誤差が生じやすい。
【００６３】
図６を参照すると、血圧値算出部６０６は、脈波伝播時間算出部６０５により算出された脈波伝播時間と血圧算出式とに基づいて血圧値を算出する。血圧値算出部６０６は、例えば上記の式（１）を血圧算出式として使用する。血圧値算出部６０６は、算出した血圧値を時間情報に関連付けて血圧値記憶部６０７に記憶させる。
【００６４】
なお、血圧算出式は上記の式（１）に限らない。血圧算出式は、例えば、下記の式であってもよい。  
ＳＢＰ＝Ｂ１／ＰＴＴ２＋Ｂ２／ＰＴＴ＋Ｂ３×ＰＴＴ＋Ｂ４    ・・・（２）
ここで、Ｂ１、Ｂ２、Ｂ３、Ｂ４はパラメータである。
【００６５】
判定部６０８は、図１に示した判定部５０に相当するものである。判定部６０８は、脈波伝播時間算出部６０５により算出された脈波伝播時間に基づいて、ユーザの血圧を測定することが推奨される条件が満たされたか否かを判定する。一例では、判定部６０８は、血圧変化率が閾値を超えたか否かを判定する。血圧変化率は、例えば、単位時間における血圧値の変化量である。具体的には、判定部６０８は、最新の血圧値から単位時間前の血圧値を引いた差が閾値を超えたか否かを判定する。最新の収縮期血圧の値をＳＢＰ０、単位時間前の収縮期血圧の値をＳＢＰ１、閾値をＶｔｈとすると、判定部６０８は、ＳＢＰ０−ＳＢＰ１＞Ｖｔｈの条件式が満たされるか否かを判定する。単位時間は例えば３０秒であり、閾値は例えば２０［ｍｍＨｇ］である。最新の脈波伝播時間の値をＰＴＴ０、単位時間前の脈波伝播時間の値をＰＴＴ１とすると、上記の条件式は、式（１）を用いて変形すると、Ａ１（１／ＰＴＴ０２−１／ＰＴＴ１２）＞Ｖｔｈとなる。すなわち、判定部６０８は、脈波伝播時間そのものを使用してもよく、脈波伝播時間に基づいて算出された血圧値を使用してもよい。なお、判定部６０８は、最新の血圧値から所定心拍数前（例えば３０拍前）の血圧値を引いた差が閾値を超えたか否かを判定してもよい。他の例では、判定部６０８は、最新の収縮期血圧の値が閾値（例えば１５０［ｍｍＨｇ］）を超えたか否かを判定する。この閾値は、固定であってもよく、可変であってもよい。例えば、ユーザの平均血圧が高いほど、閾値は高い値に設定される。
【００６６】
指示部６０９は、図１に示した指示部６０に相当するものである。指示部６０９は、条件が満たされたと判定部６０８が判定したことに応答して、血圧測定の実行を指示する情報を出力する。例えば、指示部６０９は、血圧測定の実行を促すメッセージを表示部２２２に表示させるよう表示制御部６１２に指示信号を与える。さらに、指示部６０９は、通知音を発生させるために、発音体を駆動する駆動回路を制御する制御信号を出力する。なお、指示部６０９は、通信部５０７を介してユーザの携帯端末に指示信号を送信し、それにより、携帯端末を通じて血圧測定の実行をユーザに促すようにしてもよい。
【００６７】
指示入力部６１３は、操作部２２１を用いてユーザから入力された指示を受け付ける。例えば、血圧測定の実行を指示する操作がなされると、指示入力部６１３は、血圧測定の開始指示を血圧測定制御部６１０に与える。
【００６８】
血圧測定制御部６１０は、血圧測定を実行するためにポンプ駆動回路４０６を制御する。血圧測定制御部６１０は、指示入力部６１３からの血圧測定の開始指示を受けると、ポンプ駆動回路４０６を介してポンプ４０３を駆動する。それにより、押圧カフ４０１への空気の供給が開始される。押圧カフ４０１が膨張し、それによりユーザの上腕が圧迫される。血圧測定制御部６１０は、圧力センサ４０２を用いてカフ圧をモニタする。血圧測定制御部６１０は、押圧カフ４０１に空気を供給する加圧過程において、圧力センサ４０２から出力される圧力信号に基づいて、オシロメトリック法により血圧値を算出する。血圧値は、収縮期血圧（ＳＢＰ）及び拡張期血圧（ＤＢＰ）を含むが、これに限定されない。血圧測定制御部６１０は、算出した血圧値を時間情報に関連付けて血圧値記憶部６１１に記憶させる。血圧測定制御部６１０は、血圧値と同時に脈拍数を算出することができる。血圧測定制御部６１０は、血圧値の算出が完了すると、ポンプ駆動回路４０６を介してポンプ４０３を停止する。それにより、押圧カフ４０１から弁４０４を通じて空気が排気される。
【００６９】
表示制御部６１２は、表示部２２２を制御する。例えば、表示制御部６１２は、指示部６０９からの指示信号を受け取り、指示信号に含まれるメッセージを表示部２２２に表示させる。また、表示制御部６１２は、血圧測定制御部６１０による血圧測定が完了した後に血圧測定結果を表示部２２２に表示させる。
【００７０】
較正部６１４は、脈波伝播時間算出部６０５により得られた脈波伝播時間と血圧測定制御部６１０により得られた血圧値とに基づいて、血圧算出式の較正を行う。脈波伝播時間と血圧値との間の相関関係は、個人ごとに異なる。また、相関関係は、血圧測定装置１０がユーザの上腕に装着された状態に応じて変化する。例えば、同じユーザであっても、血圧測定装置１０がより肩側に配置されたときと血圧測定装置１０がより肘側に配置されたときとで相関関係は変化する。このような相関関係の変化を反映するために、血圧算出式の較正が行われる。血圧算出式の較正は、例えば、ユーザが血圧測定装置１０を装着したときに実行される。較正部６１４は、例えば、脈波伝播時間の測定結果と血圧の測定結果との組みを複数得て、脈波伝播時間の測定結果と血圧の測定結果との複数の組みに基づいてパラメータＡ１、Ａ２を決定する。較正部６１４は、パラメータＡ１、Ａ２を決定するために、例えば、最小二乗法又は最尤法といったフィッティング法を使用する。
【００７１】
なお、本実施形態では、血圧測定装置１０の機能がいずれも汎用のプロセッサによって実現される例について説明している。しかしながら、機能の一部又は全部が１又は複数の専用のプロセッサにより実現されてもよい。
【００７２】
［動作例］
（心電図を取得するために使用する電極対の選択）
ユーザが血圧測定装置１０を装着すると、まず、心電図を取得するために使用する電極対を選択する処理が実行される。この処理では、制御部５０１は、脈波測定制御部６０３として動作する。ここでは、電極群３１１が４つの電極３１２を有するものとし、これらの４つの電極３１２を区別するために電極３１２−１、３１２−２、３１２−３、３１２−４と表記することとする。制御部５０１は、電極３１２−１、３１２−２を選択するためのスイッチ信号をスイッチ回路３１３に与え、電極３１２−１、３１２−２の対を用いて心電図を得る。次に、制御部５０１は、電極３１２−１、３１２−３を選択するためのスイッチ信号をスイッチ回路３１３に与え、電極３１２−１、３１２−３の対を用いて心電図を得る。同様にして、制御部５０１は、電極３１２−１、３１２−４の対、電極３１２−２、３１２−３の対、電極３１２−２、３１２−４の対、及び電極３１２−３、３１２−４の対を用いて、心電図を得る。制御部５０１は、Ｒ波の振幅が最も大きい心電図が得られる電極対を、心電図を得るために使用する電極対として決定する。
【００７３】
（脈波伝播時間に基づく血圧測定に使用される血圧算出式の較正）
次に、血圧算出式の較正が実行される。この処理では、制御部５０１は、較正部６１４として動作する。血圧算出式に含まれるパラメータの数をＮとすると、脈波伝播時間の測定値と血圧の測定値との組みがＮ組み以上必要となる。上記の血圧算出式（１）は２つのパラメータＡ１、Ａ２を有する。この場合、例えば、制御部５０１は、ユーザの安静時に、脈波伝播時間の測定値及び血圧の測定値の組みを取得し、続いて、ユーザに運動を行わせ、運動後に脈波伝播時間の測定値及び血圧の測定値の組みを取得する。これにより、脈波伝播時間の測定値と血圧の測定値との組みが２組み取得される。制御部５０１は、取得された脈波伝播時間の測定値と血圧の測定値との２つの組みに基づいてパラメータＡ１、Ａ２を決定する。較正が終了した後に、脈波伝播時間に基づく血圧測定が実行可能となる。
【００７４】
（脈波伝播時間に基づく血圧測定）
図８は、血圧測定装置１０が脈波伝播時間に基づく血圧測定を行う際の動作フローを示している。
【００７５】
図８のステップＳ１１では、制御部５０１は、脈波伝播時間に基づく血圧測定を開始する。例えば、制御部５０１は、操作部２２１からユーザが脈波伝播時間に基づく血圧測定の開始を指示したことを表す操作信号を受け取り、それに応答して血圧測定を開始する。また、制御部５０１は、血圧算出式の較正が完了したことに応答して脈波伝播時間に基づく血圧測定を開始してもよい。
【００７６】
ステップＳ１２では、制御部５０１は、心電図測定制御部６０１として動作し、上述した処理において決定された２つの電極３１２を用いて心電図を取得する。ステップＳ１３では、制御部５０１は、脈波測定制御部６０３として動作し、脈波センサ３２１を用いて脈波信号を取得する。ステップＳ１１の処理とステップＳ１２の処理は並行して実行される。
【００７７】
ステップＳ１４では、制御部５０１は、脈波伝播時間算出部６０５として動作し、心電図のＲ波ピーク点と脈波信号の立ち上がり点との間の時間差を脈波伝播時間として算出する。ステップＳ１５では、制御部５０１は、血圧値算出部６０６として動作し、上述した血圧算出式（１）を使用して、ステップＳ１４で算出した脈波伝播時間から血圧値を算出する。制御部５０１は、算出した血圧値を時刻情報に関連付けて記憶部５０５に記録する。
【００７８】
ステップＳ１６では、制御部５０１は、操作部２２１からユーザが脈波伝播時間に基づく血圧測定の終了を指示したことを表す操作信号を受け取ったか否かを判定する。制御部５０１が操作信号を受け取るまで、ステップＳ１２〜Ｓ１５の処理が繰り返される。それにより、一心拍ごとの血圧値が記録される。制御部５０１は、操作信号を受け取ると、脈波伝播時間に基づく血圧測定を終了する。
【００７９】
脈波伝播時間に基づく血圧測定によれば、ユーザの身体的負担が軽い状態で、血圧を長期間にわたって連続的に測定することができる。
【００８０】
（オシロメトリック法による血圧測定の実行の指示）
図９は、血圧測定装置１０がオシロメトリック法による血圧測定を実行することを指示する際の動作フローを示している。図９に示される処理は、脈波伝播時間に基づく血圧測定が実行されている期間中に実行される。
【００８１】
図９のステップＳ２１では、制御部５０１は、図８に関連して説明した脈波伝播時間に基づく血圧測定により血圧の測定値を取得する。
【００８２】
ステップＳ２２では、制御部５０１は、判定部６０８として動作し、ステップＳ２１で取得された最新の測定値に基づいて、ユーザの血圧を測定することが推奨される条件が満たされたか否かを判定する。例えば、制御部５０１は、最新の血圧値から単位時間前の血圧値を引いた血圧値差が閾値を超えたか否かを判定する。血圧値差が閾値以下である場合、ステップＳ２１に戻り、制御部５０１は、次の測定値を取得する。血圧値差が閾値を超えた場合、ステップＳ２３に進む。
【００８３】
ステップＳ２３では、制御部５０１は、指示部６０９として動作し、血圧測定の実行を指示する。例えば、制御部５０１は、発音体を通じて通知音を発生させるとともに、血圧測定の実行を促すメッセージを表示部２２２に表示させる。
【００８４】
このようにして、制御部５０１は、正確な血圧測定が推奨される状況が生じたときにオシロメトリック法による血圧測定の実行をユーザに指示する。
【００８５】
（オシロメトリック法による血圧測定）
図１０は、血圧測定装置１０がオシロメトリック法による血圧測定を行う際の動作フローを示している。オシロメトリック法による血圧測定では、押圧カフ４０１が徐々に加圧され、その後に減圧される。このような加圧又は減圧過程では、脈波伝播時間を正しく測定することができない。このため、オシロメトリック法による血圧測定の実行中は、図８に示した脈波伝播時間に基づく血圧測定は一時的に停止されてもよい。
【００８６】
図１０のステップＳ３１では、制御部５０１は、オシロメトリック法による血圧測定を開始する。例えば、制御部５０１は、例えば、制御部５０１は、操作部２２１からユーザがオシロメトリック法による血圧測定の実行を指示したことを表す操作信号を受け取り、それに応答して血圧測定を開始する。
【００８７】
ステップＳ３２では、制御部５０１は、血圧測定制御部６１０として動作し、血圧測定のための初期化を行う。例えば、制御部５０１は、処理用メモリ領域を初期化する。そして、制御部５０１は、ポンプ駆動回路４０６を介してポンプ４０３を停止する。これに伴い弁４０４が開き、押圧カフ４０１内の空気が排出される。制御部５０１は、圧力センサ４０２の現時点の出力値を基準値として設定する。
【００８８】
ステップＳ３３では、制御部５０１は、血圧測定制御部６１０として動作し、押圧カフ４０１に加圧する制御を行う。例えば、制御部５０１は、ポンプ駆動回路４０６を介してポンプ４０３を駆動する。これに伴い弁４０４が閉じ、空気が押圧カフ４０１に供給される。それにより、押圧カフ４０１が膨張するとともに、図１１に示すようにカフ圧Ｐｃが徐々に高まる。制御部５０１は、圧力センサ４０２を用いてカフ圧Ｐｃをモニタし、動脈容積の変動成分を表す脈波信号Ｐｍを取得する。
【００８９】
ステップＳ３４では、制御部５０１は、血圧測定制御部６１０として動作し、この時点で取得されている脈波信号Ｐｍに基づいて血圧値（ＳＢＰ及びＤＢＰを含む）の算出を試みる。この時点でデータ不足のために、未だ血圧値を算出できない場合は（ステップＳ３５においてＮｏ）、カフ圧Ｐｃが上限圧力に達していない限り、ステップＳ３３、Ｓ３４の処理が繰り返される。上限圧力は、安全性の観点から予め定められる。上限圧力は、例えば３００ｍｍＨｇである。
【００９０】
血圧値の算出ができた場合（ステップＳ３５においてＹｅｓ）、ステップＳ３６に進む。ステップＳ３６では、制御部５０１は、血圧測定制御部６１０として動作し、ポンプ駆動回路４０６によってポンプ４０３を停止する。これに伴い弁４０４が開き、押圧カフ４０１内の空気が排出される。
【００９１】
ステップＳ３７では、制御部５０１は、血圧測定結果を表示部２２２に表示させるとともに、記憶部５０５に記録する。
【００９２】
なお、図８、図９、又は図１０に示した処理手順は例示であり、処理順序又は各処理の内容を適宜変更することが可能である。例えば、オシロメトリック法による血圧測定において、血圧値の算出は、押圧カフ４０１から空気が排出される減圧過程で実行されてもよい。
【００９３】
［効果］
以上のように、本実施形態に係る血圧測定装置１０では、電極群３１１及び脈波センサ３２１のセンサ部３２２がともにベルト２１に設けられている。このため、単にベルト２１を上腕に巻き付けることで、電極群３１１及び脈波センサ３２１の両方がユーザに取り付けられる。したがって、ユーザは血圧測定装置１０を容易に装着することができる。ユーザはひとつのデバイスを装着するだけでよいため、血圧測定装置１０の装着に対するユーザの拒否感が減る。
【００９４】
さらに、心電図と上腕に関して得られた脈波信号とに基づいて脈波伝播時間が算出されるので、心臓から上腕までという長い距離に関して脈波伝播時間が得られる。これにより、心電図の波形特徴点と脈波信号の波形特徴点との間の時間差を算出する際に生じた誤差に対するロバスト性が向上する。さらに、電極群３１１がベルト２１の中枢側部分２１７Ａに配置され、脈波センサ３２１のセンサ部３２２がベルト２１の末梢側部分２１７Ｂに配置される。この配置では、より長い脈波伝播距離が確保されるとともに、高いＳＮ比の心電図が取得される。それにより、ロバスト性がより向上する。その結果、脈波伝播時間を正確に測定することが可能になり、脈波伝播時間に基づいて算出される血圧値の信頼性が向上する。
【００９５】
第１の血圧測定部３０において使用される血圧算出式は、第２の血圧測定部４０により得られた血圧値に基づいて較正される。第１の血圧測定部３０とは別の測定系で得られた血圧値に基づいて較正する必要がある。本実施形態では、第２の血圧測定部４０が第１の血圧測定部３０と一体化されており、第２の血圧測定部４０により得られた血圧値に基づいて血圧算出式が較正される。これにより、血圧測定装置１０単独で血圧算出式の較正を行うことができる。このため、血圧算出式の較正を容易に行うことができる。
【００９６】
また、第１の血圧測定部３０による連続血圧測定の結果に基づいてユーザの血圧を測定することが推奨される条件が満たされたか否かが判定され、条件が満たされた場合に、第２の血圧測定部４０による血圧測定を実行すべき旨がユーザに報知される。このため、血圧測定が推奨される状況下で正確な血圧測定をユーザに実行させることができる。
【００９７】
脈波伝播時間に基づく血圧測定とオシロメトリック法による血圧測定とを１つのデバイスで行うことができるので、ユーザにとって利便性が高い。
【００９８】
血圧測定装置１０は上腕に装着されるので、心臓と略同じ高さで血圧測定が行なわれる。これにより、取得された血圧測定結果に対する高さ補正を行う必要がない。また、血圧測定装置１０が上腕式である場合、血圧測定装置１０を服の袖で隠すことができ、血圧測定装置１０を装着していることを目立たなくすることができる。
【００９９】
（変形例）
心電図を測定するための電極群が４つ以上の電極を有する場合、心電図から体動ノイズを除去又は低減するために、最適な心電図を測定するために使用する２つの電極以外の電極のうちの２つを使用してもよい。体動ノイズは、ユーザの体動に起因して生じるノイズである。体動ノイズは、ローパスフィルタなどのフィルタで効果的に低減することは難しい。
【０１００】
図１２は、一実施形態に係る血圧測定装置内の心電図取得部のハードウェア構成の一例を例示する。図１２において、図５に示したものと同じ構成要素に同じ参照符号を付し、これらの構成要素についての説明を省略する。図１２の例では、電極３１２がスイッチ回路３１６の入力端子にそれぞれ接続されている。スイッチ回路３１６は、制御部５０１によって制御される。制御部５０１は、心電図測定に使用する２つの電極を選択するための第１のスイッチ信号と、体動ノイズ低減に使用する２つの電極を選択するための第２のスイッチ信号と、をスイッチ回路３１６に与える。スイッチ回路３１６の第１及び第２の出力端子は、減算回路３１４に接続されており、減算回路３１４は、第１のスイッチ信号により指定された２つの電極間の電位差を表す第１の電位差信号を減算回路３１８へ出力する。スイッチ回路３１６の第３及び第４の出力端子は、減算回路３１７に接続されており、減算回路３１７は、第２のスイッチ信号により指定された２つの電極間の電位差を表す第２の電位差信号を減算回路３１８へ出力する。減算回路３１８は、第１の電位差信号から第２の電位差信号を減算することで第３の電位差信号を生成し、第３の電位差信号をＡＦＥ１３５へ出力する。第１の電位差信号及び第２の電位差信号それぞれには同程度の体動ノイズが載っているので、体動ノイズを除去又は低減することができる。
【０１０１】
上述した実施形態では、脈波センサは、動脈の容積変化に伴うインピーダンスの変化を検出するインピーダンス法を採用している。なお、脈波センサは、光電法、圧電法又は電波法などの他の測定法を採用してもよい。光電法を採用する実施形態では、脈波センサは、被測定部位を通る動脈に向けて光を照射する発光素子と、その光の反射光又は透過光を検出する光検出器と、を備え、動脈の容積変化に伴う光強度の変化を検出する。圧電法を採用する実施形態では、脈波センサは、被測定部位に接するようにベルトに設けられた圧電素子を備え、動脈の容積変化に伴う圧力の変化を検出する。電波法を採用する実施形態では、被測定部位を通る動脈に向けて電波を送信する送信素子と、その電波の反射波を受信する受信素子と、を備え、動脈の容積変化に伴う送信波と反射波との間の位相ずれを検出する。
【０１０２】
血圧測定装置１０は、電極３１２と上腕との接触状態を調整するための押圧カフと、この押圧カフに空気を供給するポンプと、このポンプを駆動するポンプ駆動回路、この押圧カフ内の圧力を検出する圧力センサと、をさらに備えていてもよい。この押圧カフは、ベルト２１の中枢側端部２１８Ａに設けられる。この場合、押圧カフ４０１は、例えば、ベルト２１の中間部２１８Ｂに設けられる。
【０１０３】
血圧測定装置１０は、脈波センサ３２１のセンサ部３２２と上腕との接触状態を調整するための押圧カフと、この押圧カフに空気を供給するポンプと、このポンプを駆動するポンプ駆動回路、この押圧カフ内の圧力を検出する圧力センサと、をさらに備えていてもよい。この押圧カフは、ベルト２１の末梢側端部２１８Ｃに設けられる。この場合、押圧カフ４０１は、例えば、ベルト２１の中間部２１８Ｂに設けられる。
【０１０４】
脈波伝播時間の測定に関与する部分が単独の装置として実現されてもよい。一実施形態では、ベルト部２０、心電図取得部３１、脈波信号取得部３２、及び脈波伝播時間算出部３３を備える脈波伝播時間測定装置が提供される。この脈波伝播時間測定装置は、判定部５０及び指示部６０をさらに備えてよい。脈波伝播時間測定装置は、電極３１２と脈波センサ３２１とを上腕に押し付けるために、押圧カフ、ポンプ、及びポンプ駆動回路をさらに備えていてもよい。
【０１０５】
血圧測定装置１０は、第２の血圧測定部４０を備えていなくてもよい。血圧測定装置１０が第２の血圧測定部４０を備えない実施形態では、血圧算出式の較正を行うために、他の血圧計で測定することで得られた血圧値を血圧測定装置１０に入力する必要がある。
【０１０６】
被測定部位は、上腕に限らず、手首、大腿、足首などの他の部位であってもよい。
【０１０７】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【０１０８】
１０…血圧測定装置、
２０…ベルト部、２１…ベルト、２２…本体、
３０…第１の血圧測定部、３１…心電図取得部、３２…脈波信号取得部、
３３…脈波伝播時間算出部、３４…血圧値算出部、
４０…第２の血圧測定部、５０…判定部、６０…指示部、
２１０Ａ…内布、２１０Ｂ…外布、２１３…ループ面、２１４…フック面、
２２１…操作部、２２２…表示部、
３１１…電極群、３１２…電極、３１３…スイッチ回路、３１４…減算回路、
３１５…アナログフロントエンド、３２１…脈波センサ、３２２…センサ部、
３２３Ａ〜３２３Ｄ…電極、３２４…通電及び電圧検出回路、
４０１…押圧カフ、４０２…圧力センサ、４０３…ポンプ、４０４…弁、
４０５…発振回路、４０６…ポンプ駆動回路、４０７，４０８…配管、
５０１…制御部、５０２…ＣＰＵ、５０３…ＲＡＭ、５０４…ＲＯＭ、
５０５…記憶部、５０６…電池、５０７…通信部、
６０１…心電図測定制御部、６０２…心電図記憶部、６０３…脈波測定制御部、
６０４…脈波信号記憶部、６０５…脈波伝播時間算出部、６０６…血圧値算出部、
６０７…血圧値記憶部、６０８…判定部、６０９…指示部、６１０…血圧測定制御部、
６１１…血圧値記憶部、６１２…表示制御部、６１３…指示入力部、６１４…較正部。
【図１】
2019154864.tif 000003
【図２】
2019154864.tif 000004
【図３】
2019154864.tif 000005
【図４】
2019154864.tif 000006
【図５】
2019154864.tif 000007
【図６】
2019154864.tif 000008
【図７】
2019154864.tif 000009
【図８】
2019154864.tif 000010
【図９】
2019154864.tif 000011
【図１０】
2019154864.tif 000012
【図１１】
2019154864.tif 000013
【図１２】
2019154864.tif 000014